(57)【要約】      （修正有）【課題】有機溶剤への溶解性が大きく改善され、高い光電変換効率を示す、フラーレン化合物を用いた有機薄膜太陽電池を作成する。【解決手段】ガラス上にＩＴＯ透明電極を形成し、バッファ層としてＰＥＤＯＴ−ＰＳＳをスピンコートし、次いで光電変換層として、導電性高分子あるいはフタロシアニン誘導体をドナーとし、アクセプターであるメタノフラーレンＣ６１誘導体あるいはメタノフラーレンＣ７１誘導体を混合した溶液をスピンコートした上に、アルミニウムを蒸着する。さらに６０℃〜１５０℃の範囲で１０分〜４８時間加熱して、有機薄膜太陽電池セルを作成する。【選択図】図１
2009135237.tif 000002
【特許請求の範囲】
【請求項１】
有機薄膜太陽電池のアクセプター成分として有効な下記式（１）で表されるメタノフラーレンＣ６１誘導体
【化１】
2009135237.tif 000015
【請求項２】
有機薄膜太陽電池のアクセプター成分として有効な下記式（２）で表されるメタノフラーレンＣ６１誘導体
【化２】
2009135237.tif 000016
【請求項３】
請求項１の式（１）のＣ６０フラーレン骨格がＣ７０フラーレン骨格であることを特徴とする下記式（３）で表されるメタノフラーレンＣ７１誘導体。
【化３】
2009135237.tif 000017
【請求項４】
請求項２の式（２）のＣ６０フラーレン骨格がＣ７０フラーレン骨格であることを特徴とする下記式（４）で表されるメタノフラーレンＣ７１誘導体。
【化４】
2009135237.tif 000018
【請求項５】
請求項１のＲ１がＣ８Ｈ１７であり、Ｘが酸素原子であるモノ置換フェニル基、ジ置換フェニル基、またはトリ置換フェニル基であるＡｒ１であり、ＹがＣＯ２ＣＨ３であり、nが１であるＡｒ２であることを特徴とする請求項１の式（１）で表されるメタノフラーレンＣ６１誘導体。
【請求項６】
請求項３においてＲ１がＣ８Ｈ１７であり、Ｘが酸素原子であるモノ置換フェニル基、ジ置換フェニル基、またはトリ置換フェニル基であるＡｒ１であり、ＹがＣＯ２ＣＨ３であり、nが１であるＡｒ２であることを特徴とする請求項３の式（３）で表されるメタノフラーレンＣ７１誘導体。
【発明の詳細な説明】
【技術分野】
【０００１】
本発明は、有機薄膜太陽電池のアクセプター半導体として有効な溶解性フラーレン誘導体に関する。
【背景技術】
【０００２】
有機薄膜太陽電池用アクセプター(ｎ型分子)としてフラーレンが用いられるが、フラーレンそのものは有機溶媒への溶解性が低いことから、真空蒸着法で薄膜化している。フラーレンを有機溶媒に溶解させた溶液をスピンコーティングなどにより薄膜を製造するために、PCBM（[6,6]-phenyl-C61-butyric acid methyl ester）が開発され広く研究に用いられている。しかし、PCBMもジクロロベンゼンやトルエンには溶解するもののそのほかの汎用性溶媒には溶解性が非常に低いという欠点を有している。
【発明の開示】
【発明が解決しようとする課題】
【０００３】
有機薄膜太陽電池には、光により励起し、その励起された電子を受け渡すドナー分子と電子を受け取り、電極まで転送するアクセプター分子（フラーレン）がある。ドナー分子として低分子化合物ではフタロシアニン、poly(3-hexylthiopene)の略称であるP3HT  やpoly(2-methoxy-5-(3’,7’-dimethyloctyloxy)-1,4-phenylenevinylene)の略称であるMDMOPPV,  MEHPPV と略称されるpoly(2-methoxy-5-ethylhexyloxy-1,4-phenylenevinylene)などが用いられるが、太陽電池を形成するには、これらドナー分子とアクセプター分子として有用なフラーレンを溶解した溶液を用いる必要がある。
【０００４】
有機薄膜太陽電池用の新しい有機薄膜を開発するには、新規フラーレン誘導体を開発する必要がある。種々のドナー半導体にも適用できるフラーレン誘導体を開発するには、汎用性有機溶媒に難溶であったフラーレンそのものあるいはPCBMにはなかった溶解性フラーレン誘導体が要求され、本発明ではじめて可能となった。
【課題を解決するための手段】
【０００５】
従来から用いられているフラーレンは有機溶媒に難溶性である。PCBMが溶解する溶媒はトルエンやオルトジクロロベンゼンに限られる。本発明者は、これらアクセプター分子の溶解性を改善して、汎用性有機溶媒に溶解するフラーレン誘導体を開発しようと鋭意研究した結果、従来から知られているドナー半導体であるフタロシアニンやHDMO-PPV や P3HTばかりでなく、各種ドナーとのヘテロジャンクション光電変換層を開発の可能性を広げることができる溶解性フラーレン誘導体を見いだしたものである。本発明よりなるフラーレン誘導体は、有機溶媒に対して高い溶解性を示すと同時に、アクセプター成分として用いた時に高い光電変換効率を示す極めて有効な光電変換層を形成する。
【０００６】
すなわち、本発明は、有機薄膜太陽電池のアクセプター成分として有効な
下記式（１）で表されるメタノフラーレンＣ６１誘導体
【０００７】
【化５】
2009135237.tif 000003
【０００８】
また、下記式（２）で表されるメタノフラーレンＣ６１誘導体
【０００９】
【化６】
2009135237.tif 000004
【００１０】
その他の実施の形態：
有機薄膜太陽電池のアクセプター成分として下記式（５）に示されるＰＣＢＭと称される可溶性フラーレン誘導体が知られている。しかし、ＰＣＢＭはトルエン、オルトジクロロベンゼンなど芳香族性炭化水素に溶解性を示すのみであることから、その応用性が狭く、有機薄膜太陽電池の発展性に大きな障害となってきた。
【００１１】
【化７】
2009135237.tif 000005
【発明の効果】
【００１２】
太陽電池は次代を担うエネルギーとして、地球規模で大きな要請がある技術である。その中で有機薄膜太陽電池は、安価に製造できる有機薄膜をドナー成分およびアクセプター成分として用いて太陽エネルギーを電気に変換することから、極めて期待の大きな技術といえる。有機薄膜の性質により大きくその光電変換効率が変化することは言うまでもない。言い換えると、実用可能な有機薄膜太陽電池を開発するには高い効率を示す有機化合物の開発が鍵となる。
【００１３】
本発明よりなる化合物は、従来知られるフラーレン化合物に比し、有機溶媒への溶解性が大きく改善され、高い光電変換効率を示す有機薄膜太陽電池を作成することができる極めて有用な化合物である。
【発明を実施するための最良の形態】
【００１４】
以下に本発明を詳しく説明する。
メタノフラーレンＣ６１誘導体（１）〜（２）およびメタノフラーレンＣ７１誘導体（３）〜（４）は、対応するケトンをスルホニルヒドラジドにてスルホニルヒドラゾンとし、次いで、フラーレンＣ６０またはＣ７０とピリジン中、ナトリウムメトキシド存在下で加熱して得られる化合物を、さらに加熱または光照射により、容易に異性化させて、メタノフラーレンＣ６１誘導体（１）〜（２）およびメタノフラーレンＣ７１誘導体（３）〜（４）を得ることができる。反応により得られたメタノフラーレンＣ６１誘導体およびメタノフラーレンＣ７１誘導体はシリカゲルカラムクロマトグラフィーにより容易に精製することができる。生成物は高速液体クロマトグラフィー（ＨＰＬＣ）により、高純度の生成物が確認でき、Ｈ−ｎｍｒ、Ｃ１３−ｎｍｒ、ＩＲスペクトル、ＵＶスペクトルなどにより構造が確認できる。
【００１５】
反応は、さらに詳細には、ケトンに対して１〜２０当量、さらに好ましくは２〜５当量のスルホニルヒドラジドを用いて好適に行われる。スルホニルヒドラジドとしてはｐ−トルエンスルホニルヒドラジド、ベンゼンスルホニルヒドラジドなどが用いられ、溶媒としては、メタノール、エタノール、プロパノール、ブタノールなどのアルコール系溶媒、ジメチルホルムアミド、ジメチルスルホキシドなどの非プロトン性極性溶媒、酢酸エチル、またはクロロホルム、ジクロロエタン、トリクロロエタンなどのハロゲン化溶媒が用いられる。反応温度は、４０℃から１５０℃の範囲で行われる。得られたスルホニルヒドラゾンはシリカゲルカラムクロマトグラフィーまたは再結晶により生成するかまたは生成すること無しに次の行程に用いることができる。
スルホニルヒドラゾンは、次いで、フラーレンＣ６０またはＣ７０と反応させるが、この際、溶媒としてピリジン単独か、または、ベンゼン、トルエン、クロロベンゼン、オルトジクロロベンゼン、パラジクロロベンゼン、オルトキシレン、メタキシレン、またはパラキシレンを混合して用いる。この反応は、塩基を存在させて行われるが、塩基としては、ナトリウムメトキシド、ナトリウムエトキシド、ナトリウムｔ−ブトキシド、カリウムメトキシド、カリウムエトキシド、カリウムｔ−ブトキシドなどが０．８〜５当量用いられ、反応は、５０℃〜１５０℃好ましくは６０℃〜１２０℃で行われる。３〜４８時間加熱後、後処理して得られた生成物は、シリカゲルクロマトグラフィーで生成してから、あるいは、塩基などを取り除いた後に、上記、溶媒に溶解して６０℃〜１５０℃に加熱するか、酸性下加熱するかあるいは、ナトリウムランプで照射して、「５，６」体を「６，６」シクロプロパン体へと異性化することによって、目的とするメタノフラーレンＣ６１誘導体（１）〜（２）およびメタノフラーレンＣ７１誘導体（３）〜（４）を得ることができる。
本発明のフラーレン誘導体は、有機薄膜太陽電池用アクセプターとして、好適に用いられる点が大きな特徴である。有機薄膜太陽電池としての性能はたとえば図１によって示されるセルにより、測定することができる。
図１に示される電池セルはＩＴＯ透明電極にバッファー層として、たとえば,
ＰＥＤＯＴ−ＰＳＳと略されるpoly(3,4-ethyldioxythiophene)-poly(styrenesulfonate)などをスピンコートし、次いで、光電変換層にＰ３ＨＴと略称されるpoly(3-hexylthiopene)、ＭＤＭＯＰＰＶと略称されるpoly(2-methoxy-5-(3’,7’-dimethyloctyloxy)-1,4-phenylenevinylene)、あるいはＭＥＨＰＰＶと略称されるpoly(2-methoxy-5-ethylhexyloxy-1,4-phenylenevinylene)などの導電性高分子あるいはフタロシアニン誘導体をドナーとして、アクセプターであるメタノフラーレンＣ６１誘導体あるいはメタノフラーレンＣ７１誘導体を混合した溶液をスピンコートした上に、アルミニウムを蒸着する。Ｐ３ＨＴ、MDMOPPVあるいはMEHPPVとメタノフラーレン誘導体はオルトジクロロベンゼンなどの溶媒に１：０．５〜１：５の比で溶解した溶液をスピンコートし、その後５０℃〜１２０℃の範囲で加熱する。
アルミニウムを蒸着した後で、さらに６０℃〜１５０℃の範囲で１０分〜４８時間加熱して、有機薄膜太陽電池セルを作成できる。ドナーとしてフタロシアニン誘導体を用いたときには、フラーレン誘導体と１：０．５〜１：５の比で溶解した溶液をスピンコートする。
この際の溶媒としては、テトラヒドロフラン、ジオキサン、ジメトキシエチルエーテル、ジエチレングリコールジメチルエーテル、ジエチレングリコールジエチルエーテルなどのエーテル系溶媒、アセトニトリル、プロピオニトリルなどのニトリル系溶媒、クロロホルム、ジクロロエタン、トリクロロエタン、四塩化炭素などのハロゲン化溶媒、ジメチルホルムアミド、ジメチルアセトアミドなどの非プロトン性極性溶媒、ピリジンなどの、ピラジン、ピリミジンなどの複素環化合物などが挙げられる。
また、本発明よりなるメタノフラーレンＣ６１誘導体およびメタノフラーレンＣ７１誘導体は各種有機溶媒に溶解性があることが特徴である。すなわち、フラーレン誘導体をアクセプターとし、対応するドナー分子としてフタロシアニン誘導体との有機薄膜を作成することが可能である。この際の溶媒としては、テトラヒドロフラン、ジオキサン、ジメトキシエチルエーテル、ジエチレングリコールジメチルエーテル、ジエチレングリコールジエチルエーテルなどのエーテル系溶媒、アセトニトリル、プロピオニトリルなどのニトリル系溶媒、クロロホルム、ジクロロエタン、トリクロロエタン、四塩化炭素などのハロゲン化溶媒、ジメチルホルムアミド、ジメチルアセトアミドなどの非プロトン性極性溶媒、ピリジンなどの、ピラジン、ピリミジンなどの複素環化合物などが挙げられる。
ドナーとしてのフタロシアニン誘導体はｔ−ブチル基など置換基を有するものが好適に用いられる。
有機薄膜作成時および測定時において窒素あるいはアルゴンガスなどの不活性ガス雰囲気下で行うのが望ましい。
以下、実施例にて本発明を説明するが、これらに限定されるものではない。
【実施例１】
【００１６】
3,5-Didecyloxybenzyl 4-(1-phenyl-C61)butyrateの合成
【００１７】
【化８】
2009135237.tif 000006
【００１８】
（１）3,5-Didecyloxybenzyl alcoholの合成
100 mlナスフラスコにPotassium carbonate 3.95 g (20.5 mmol)を加え，フラスコ内を窒素置換した後，DMF 15 mlを加えた。続いて，3,5-Dihydroxybenzylalcohol 1.00 g (7.13 mmol)，1-Bromodecane 3.3 ml (15.0 mmol)を加え，70 ℃にて41時間攪拌した。室温まで放冷した後，セライトを用いて不要物をろ去し，塩化メチレンにて洗浄した。ロータリーエボポレータにて溶媒を留去し，残渣をジエチルエーテルに溶解させ，飽和重曹水，飽和食塩水にて洗浄した。硫酸マグネシウムにて乾燥し，ろかした後，ロータリーエバポレータにて溶媒を留去し，濃縮して得られた粗生成物をシリカゲルクロマトグラフィー (hexane/AcOEt=70/30)にて精製し，目的物を1.54 g，収率51%で得た。
1H NMR (CDCl3, 200MHz):6.47 (d, J=2, 2H), 6.36 (t, J=4, 1H), 4.56 (br, s 2H), 3.94 (t, J=8.6, 4H), 1.78 (m, 4H), 1.41 (m, 28H), 0.87 (t J=6.6, 6H).
（２）3,5-Didecyloxybenzyl 4-benzoylbutyrateの合成
20 mlナスフラスコに4-Benzoylbutyric acid 100 mg (0.500 mmol)を加え，フラスコ内を窒素置換した後，DMF 3.0 mlに溶解させ氷冷した。DMF 1.0 mlに溶解させたDCC 107 mg (0.500 mmol)をゆっくり加え，室温にて12時間攪拌した。Dimethylaminopyridine 30.5 mg (0.250 mmol)，1-Hydroxybenzotriazole 4.0 mg (0.025 mmol)を加え，室温にて1時間攪拌した後，DMF 1.0 mlに溶解させた3,5-Didecyloxybenzylalcohol 231 mg (0.550 mmol)をゆっくり加え，室温にて24時間攪拌した。ロータリーエバポレータにて溶媒を留去し，得られた粗生成物をシリカゲルカラムクロマトグラフィー (hexane/AcOEt=95/5)にて精製し，目的物を173 mg，収率53%で得た。
1H NMR(CDCl3, 200MHz): 7.89 (d, 2H, J=6.0Hz), 7.53-7.30 (m, 3H), 6.54 (s, 2H), 6.37 (s, 1H), 5.03 (s, 2H), 3.88 (t, 4H, J=6.4Hz ), 3.0 (t, 2H, J=7.0Hz), 2.47 (t, 2H,J=7.2Hz), 2.14-1.99 (m, 2H), 1.73 (t, 4H, J=6.4Hz), 1.26 (m, 28H), 0.87 (t, 6H, J=5.2Hz). 13C NMR (CDCl3, 50.3MHz): 14.19, 19.40, 22.73, 26.09, 29.27, 29.36, 29.43, 29.61, 31.91, 33.30, 37.30, 66.03, 67.82, 100.66, 106.04, 127.60, 128.15, 132.57, 136.36, 137.58, 159.94, 172.36, 198.42. IR (CH2Cl2): 3443, 2925, 2854, 1736, 1687, 1597, 1450, 1166, 1063, 689 cm-1
（３）3,5-Didecyloxybenzyl 5-(2-tosylhydrazono)-5-phenylpentanoateの合成
10 mlナスフラスコに3,5-Didecyloxybenzyl 4-benzoylbutyrate 50 mg (0.080 mmol), p-Toluenesulfonyl hydrazide 17 mg (0.090 mmol)を加え，MeOH 4.0 mlを加え溶解させた。3時間加熱還流させた後，室温にて12時間攪拌した。ロータリーエバポレータにて溶媒を留去し，得られた粗生成物をシリカゲルカラムクロマトグラフィー (hexane to hexane/AcOEt=75/25)にて精製し，目的物を59 mg, 収率80%で得た。
1H NMR(CDCl3, 200MHz): 9.22 (s, 1H), 7.86 (d, 2H, J=8.2Hz), 7.64 (m, 3H), 7.32 (m, 4H), 6.49 (s, 2H), 6.42 (s, 1H), 5.13 (s, 2H,), 3.93 (t, 4H, J=6.4Hz), 2.62(t, 2H, J=8.0Hz), 2.38 (m, 5H), 1.78 (m, 6H), 1.26 (m, 28H), 0.88 (t, 6H, J=6.8Hz). 13C NMR(CDCl3, 50.3MHz): 14.31, 21.13, 21.74, 22.83, 25.97, 26.19, 29.38, 29.45, 29.52, 29.70, 32.01, 32.36, 67.15, 68.09, 101.06, 106.24, 106.56, 125.94, 127.67, 128.16, 129.21, 135.74, 135.85, 137.07, 143.34, 153.25, 160.25, 173.86. Anal. Calcd. for C45H66N2O6S- C; 70.77, H; 8.65, N; 3.60. Found: C; 70.68, H; 9.0, N; 3.65
（４）3,5-Didecyloxybenzyl 4-(1-phenyl-C61)butyrateの合成
20 mlナスフラスコに3,5-Didecyloxybenzyl 5-(2-tosylhydrazono)-5-phenylpentanoate 49 mg (0.060 mmol)を加え窒素置換した後，Pyridine 1.0 mlを加え，室温にて10分攪拌し，  Sodium methoxide 3.8 mg (0.070 mmol)を加えさらに30分攪拌した。O-Dichlorobenzene 2.0 mlに溶解させたC6039 mg (0.050 mmol)をゆっくり加え，80 ℃にて24時間攪拌した。反応液をそのままシリカゲルカラムクロマトグラフィー (hexane to hexane/AcOEt=95:5)にて精製した。得られた固体をtolueneに溶解し，24時間還流させ，異性化を行い，目的物を26 mg，収率40%で得た。
1H NMR(CDCl3, 200MHz): 7.92 (d, 2H, J=6.4Hz), 7.56-7.44 (m, 3H), 6.44 (s, 2H), 6.36 (s, 1H), 5.01 (s, 2H), 3.89 (t, 4H, J=6.4Hz ), 2.91 (t, 2H, J=8.0Hz), 2.58 (t, 2H,J=7.4Hz), 2.23-2.15 (m, 2H), 1.78 (m, 4H), 1.26 (m, 28H), 0.87 (t, 6H, J=6.0Hz).
13C NMR(CDCl3, 50.3MHz): 14.38, 20.07, 22.88, 26.28, 29.50, 29.58, 29.74, 31.38, 32.05, 34.23, 35.37, 38.25, 38.81, 60.95, 66.29, 68.06, 79.80, 100.75, 106.24, 127.52, 128.44, 130.49, 131.83, 134.78, 136.44, 137.54, 138.03, 139.49, 141.00, 141.62, 141.81, 142.16, 142.71, 143.42, 144.84, 145.49, 146.10, 147.07, 151.09, 160.07, 172.29, 185.38.  MALDI-TOF MS: m/z 1297.6, LC-MS: 1299.25. IR (KBr): 3855, 2919, 2848, 1734, 1595, 1458, 1162, 1063, 832, 698 cm-1. Anal. Calcd. for C98H58O4:C; 90.6, H; 4.46 Found C; 89.35, H; 4.58. UV (CHCl3) =6.16x10-6M 328nm (ε328= 3.83 x 104), 260nm (ε260= 8.34 x 104).
【実施例２】
【００１９】
3,5-Didecyloxybenzyl 4-(1-phenyl-C61)butyrateとP3HTによる太陽電池セル
P3HT 15 mgと3,5-Didecyloxybenzyl 4-(1-phenyl-C61)butyrate 15 mgをo-Dichlorobenzene 1.0 mlに溶解させ製膜条件スピンコート回転数2000 rpm，スピンコート後熱処理100℃，30分にて作成し、次の測定結果を得た。
Eff=0.16%, FF=0.37, Voc=0.19 V, Isc=2.28 mA/cm2
【実施例３】
【００２０】
4-[4-{(3,4-Dioctyloxyphenyl)-C61}-butoxy]benzene-1,2-dinitrileの合成
【００２１】
【化９】
2009135237.tif 000007
【００２２】
（１）1,2-Dioctyloxybenzeneの合成
20 mlナスフラスコにPotassium carbonate 501 mg (3.63 mmol), Catechol 100 mg (0.908 mmol)を加え窒素置換した後，DMF 5.0 mlを加え，70℃にて20分攪拌した。室温まで放冷し，1-Bromooctane 0.33 ml (1.91 mmol)を加え，70℃にて12時間攪拌した。セライトを用いて不溶物をろ去し，ロータリーエバポレータにて溶媒を留去した。粗生成物をシリカゲルカラムクロマトグラフィー (hexane/AcOEt=90/10)にて精製し，目的物を161 mg，収率53%で得た。
1H NMR (CDCl3, 200MHz): δ 6.86(s, 4H), 3.97(t, 4H, J=5.6Hz), 1.87-1.73(m, 4H) 1.47-1.28(m, 20H), 0.90(t, 6H, J=6.2Hz).
（２）5-Bromo-1-(3,4-dioctyloxyphenyl)pentan-1-oneの合成
50 mlナスフラスコに5-Bromopentanoyl chloride 537 mg (2.69 mmol)を加え，Dichloromethane 7.0 mlに溶解させた。氷冷下，Aluminum trichloride 398 mg (2.99 mmol)を加え，Dichloromethane 3.0 mlに溶解させた1,2-Bis(octyloxy)benzene 1.00 g (2.99 mmol)をゆっくり加えた。氷冷下45分攪拌した後，40℃にて20分間攪拌した。室温まで放冷した後，ロータリーエバポレータにて溶媒を留去した。得られた粗生成物をシリカゲルカラムクロマトグラフィー (hexane/AcOEt=90/10)にて精製し，目的物を1.34 g，収率86%で得た。
1H NMR (CDCl3, 200 MHz): δ7.55-7.50 (m, 2H), 6.87 (d, J = 7.8, 1H), 4.08 - 4.04 (m, 4H), 3.47 (t, J = 12, 2H), 2.98 (t, J = 13.6, 2H), 2.02 - 1.75 (m, 8H), 1.56- 1.28(m, 20H), 0.88 (t, J = 7.0, 6H).  13C(CDCl3, 50.3 MHz): 197.74, , 153.17, , 148.56, , 129.57, 122.34, , 112.21, 111.41, 69.22, 37.00, 33.48, 32.40, 31.92, 29.48, 29.14, 29.37, 26.14, 23.28, 22.81,  14.27.
Anal. Calcd. For C27H45BrO3: C; 65.19, H; 9.05. Found: C; 65.09, H; 9.02.  IR (KBr): 3073, 3055, 3036, 2923, 2853, 2604, 2312, 2062, 1928, 1845, 1670, 1584, 1514, 1499, 1472, 1429, 1394, 1334, 1294, 1269, 1230, 1173, 1145, 1094,  1081, 1060, 1035, 1014, 991, 918, 878, 816, 800, 627 cm-1.  MS (EI) m/z 498.
（３）4-{5-(3,4-Dioctyloxyphenyl)-5-oxopentyloxy}benzene-1,2-dinitrileの合成
100 mlナスフラスコに5-Bromo-1-(3,4-dioctyloxyphenyl)pentan-1-one 1.00 g (2.01 mmol),  4-Hydroxyphthalonitrile 264 mg (1.83 mmol)，Potassium carbonate 759 mg (5.49 mmol)を加え窒素置換した後，Methyl iso-butylketone 25.0 mlを加え，12時間加熱還流させた。室温まで放冷した後，セライトを用いて不溶物をろ去し，ろ液を塩化メチレンにて希釈し，水にて洗浄した。有機相を硫酸ナトリウムにて乾燥させ，ろ去した後，ロータリーエバポレータにて溶媒を留去した。得られた粗生成物をシリカゲルクロマトグラフィー (hexane/AcOEt=70/30)にて精製し，目的物を759 mg, 収率74%で得た。
1H NMR (CDCl3, 200 MHz): δ7.69(d, J=8.6, 1H), 7.54 (d, J = 9.8, 2H), 7.24- 7.11 (m, 2H), 6.87(d, J=8.2, 1H), 4.08 (m, 6H), 3.0 (br, 2H), 1.91 - 1.75 (m, 8H), 1.59- 1.28(m, 20H), 0.90 (t, J = 10.8, 6H).  13C(CDCl3, 50.3MHz): 197.63, 161.67, 153.27, 148.56, 134.86, 129.52, 122.34, 119.33, 119.04, 117.11, 115.48, 115.05,  112.25, 111.43, 106.84, 69.26, 37.31, 31.88,      29.43, 29.41,  29.34, 29.28, 29.15, 28.47 26.10, 22.76, 20.89, 14.22.  IR (KBr):3082, 2952, 2231, 1670, 1592, 1520, 1465, 1380, 1346, 1270, 1188, 1129, 1098, 1018, 969, 879, 837, 818 cm-1.  Anal. Calcd. For C35H48N2O4: C;74.96, H;8.63, N;5.00. Found: C;74.86, H;8.76, N;4.93.  MS (EI) m/z 560.
（４）
4-{5-(3,4-Dioctyloxy)phenyl-5-tosylhydrazonopentyloxy}benzene-1,2-dinitrileの合成
10 mlナスフラスコに4-{5-(3,4-Dioctyloxyphenyl)-5-oxopentyloxy}benzene-1,2-dinitrile 50 mg (0.089 mmol), p-Toluenesulfonyl hydrazide 50.5 mg (0.271 mmol)を加え，MeOH 3.0 mlを加え溶解させた。4時間加熱還流させた後，室温にて12時間攪拌した。ロータリーエバポレータにて溶媒を留去し，得られた粗生成物をシリカゲルカラムクロマトグラフィー (hexane to hexane/AcOEt=75/25)にて精製し，目的物を53 mg, 収率81%で得た。
1H NMR (CDCl3, 200 MHz): δ 8.47 (s, 1H), 7.91 (d, J = 8.2, 2H), 7.63 (d, J=8.6, 1H), 7.31-7.03 (m, 6H), 6.79(d, J=8.4, 1H), 4.03-3.93(m, 6H), 2.69(br, 2H), 2.41(s,3H), 1.89-1.65 (m, 8H), 1.49-1.21 (m, 20H), 0.91 (t, J = 12.6, 6H).  13C(CDCl3, 50.3 MHz): δ161.66, 156.80, 148.56, 143.94, 135.20, 134.91, 129.67, 129.31, 124.15, 122.38, 119.45, 117.12, 117.03, 115.51, 115.08, 113.67, 112.26, 106.89,  69.55, 68.70, 37.53, 31.93, 31.90,  29.54, 29.36,  29.28,  26.54,  22.79, 21.76, 14.26.  IR (KBr):3214, 2921, 2853, 2232, 1600, 1564, 1520, 1488, 1472, 1374, 1327 cm-1.  Anal. Calcd. For C42H56N4O5S: C;69.20, H;7.74, N; 7.69. Found: C; 69.11, H,7.97, N;7.63.  MS (EI) m/z 728
（５）4-[4-{(3,4-Dioctyloxyphenyl)-C61}-butoxy]benzene-1,2-dinitrileの合成
20 mlナスフラスコに4-{5-(3,4-Dioctyloxy)phenyl-5-tosylhydrazonopentyloxy}benzene-1,2-dinitrile 49 mg (0.067 mmol)を加え窒素置換した後，Pyridine 1.0 mlを加え，室温にて10分攪拌し，  Sodium methoxide 3.6 mg (0.067 mmol)を加えさらに30分攪拌した。o-Dichlorobenzene 5.0 mlに溶解させたC60 44 mg (0.060 mmol)をゆっくり加え，80 ℃にて24時間攪拌した。反応液をそのままシリカゲルカラムクロマトグラフィー (hexane/AcOEt=85:15)にて精製した。得られた固体をtolueneに溶解し，24時間還流させ，異性化を行い，目的物を25 mg，収率33%で得た。
1H NMR (CDCl3, 200 MHz): δ 7.70(d, J=8.8, 1H), 7.4 (d, J=7.4, 1H), 7.24 (s, 1H), 7.17 (d, J=11.4, 2H), 6.97 (d, J=8.0, 1H), 4.08 (m, 6H), 2.9 (br, 2H), 1.92 (m, 8H), 1.29 (m, 20H), 0.89 (t, J = 5.0, 6H).  13C(CDCl3, 50.3 MHz): δ161.65, 148.98, 148.78, 148.50, 147.99, 147.62, 146.88, 145.51, 144.86, 144.48, 144.19, 143.98, 143.69, 143.49, 143.31, 142.77, 142.44, 142.10, 141.85, 141.55, 141.34, 141.00, 140.71, 140.14, 139.92, 139.21, 138.77, 138.54, 137.61, 134.93, 128.52, 125.07, 123.77, 119.37, 119.09, 117.25, 117.06, 115.47, 115.03, 112.85, 107.02, 80.26, 69.77, 69.12, 68.80, 68.55, 60.79, 51.91, 35.50, 31.98, 29.46, 28.67, 26.32, 23.67, 22.86, 20.86, 14.34. Anal. Calcd. for C95H48N2O3: C; 90.17, H;3.82, N;2.21. Found: C;90.03, H;3.92; N;2.28.  MALDI-TOF MS: m/z 1264.  UV-Vis (CH2Cl2) =4.74 x 10-5 M  λmax 327, 259 nm.
【実施例４】
【００２３】
4-[4-{1-(3,4-dioctyloxyphenyl)-C61}butoxy]benzene-1,2-dinitrileとP3HTによる太陽電池セル
P3HT 15 mgと4-[4-{1-(3,4-dioctyloxyphenyl)-C61}butoxy]benzene-1,2-dinitrile 15 mgをo-Dichlorobenzene 1.0 mlに溶解させ製膜条件スピンコート回転数2000 rpm，スピンコート後熱処理100℃，30分にて作成し、次の結果を得た。
Eff=0.17%, FF=0.40, Voc=0.33 V, Isc=1.31 mA/cm2
製膜条件スピンコート回転数2000 rpm，スピンコート後熱処理150℃，5時間にて作成し、次の結果を得た。
【００２４】
Eff=0.24%, FF=0.39, Voc=0.35 V, Isc=1.74 mA/cm2
【実施例５】
【００２５】
4-{1-(3,4-Dioctyloxyphenyl)-C61}-1-phenoxybutaneの合成
【００２６】
【化１０】
2009135237.tif 000008
【００２７】
（１）1-(3,4-Dioctyloxyphenyl)-5-phenoxypentan-1-oneの合成
30 mlナスフラスコに5-Bromo-1-(3,4-dioctyloxyphenyl)pentan-1-one 116 mg (0.234 mmol), Phenol 20.0 mg (0.213 mmol)，Potassium carbonate 88.1 mg (0.637 mmol)を加え窒素置換した後，Methyl iso-butylketone 5.0 mlを加え，12時間加熱還流させた。室温まで放冷した後，セライトを用いて不溶物をろ去し，ろ液を塩化メチレンにて希釈し，水にて洗浄した。有機相を硫酸ナトリウムにて乾燥させ，ろ去した後，ロータリーエバポレータにて溶媒を留去した。得られた粗生成物をシリカゲルクロマトグラフィー (hexane/AcOEt=85/15)にて精製し，目的物を83 mg, 収率76%で得た。
【００２８】
1H NMR (CDCl3, 200 MHz): 7.56 (d, J=10.8, 2H), 7.29 (d, J = 8.8, 2H), 6.94 - 6.82 (m, 4H), 4.07 (m, 6H), 3.02 (t, J = 12, 2H), 1.91 - 1.78 (m, 8H), 1.54-1.28(m, 20H), 0.90 (t, J = 11.2, 6H). 13C(CDCl3, 50.3MHz): 198.19, , 158.61, 153.11, 148.57, , 129.77, 129.14, 122.38, 120.32, 114.28, 112.30, 111.47, 69.22, 67.47, 37.69, 31.92, 29.48, 29.45,  29.39, 29.31, 29.19, 29.01, 26.14, 22.81, 21.46, 14.27. IR (KBr): 3073, 3055, 3036, 2923, 2853, 2604, 2312, 2062, 1928, 1845, 1670, 1584, 1514, 1499, 1472, 1429, 1394, 1334, 1294, 1269, 1230, 1173, 1145, 1094, 1081, 1060, 1035, 1014, 991, 918, 878, 816, 800, 627.  Anal. Calcd. for C33H50O4:C, 77.60, H, 9.87. Found: C; 77.53, H; 10.09.  MS (EI) m/z 510.
（２）1-{1-(3,4-Dioctyloxyphenyl)-5-phenoxypentylidene}-2-tosylhydrazineの合成
10 mlナスフラスコに1-(3,4-Dioctyloxyphenyl)-5-phenoxypentan-1-one 324 mg (0.634 mmol), p-Toluenesulfonyl hydrazide 360 mg (1.93 mmol)を加え，MeOH 10 mlを加え溶解させた。4時間加熱還流させた後，室温にて12時間攪拌した。ロータリーエバポレータにて溶媒を留去し，得られた粗生成物をシリカゲルカラムクロマトグラフィー (hexane to hexane/AcOEt=60/40)にて精製し，目的物を306 mg, 収率71%で得た。
1H NMR (CDCl3, 200 MHz):7.97 (s, 1H), 7.89 (d, J = 8.2, 2H), 7.27 (d, J=6.8, 2H), 7.09-7.05 (d, J=8.0, 2H), 7.04-6.84(m, 4H), 6.77(d, J=8.6, 2H), 3.97(t, J=11.4, 6H), 2.67(t, J=7.2, 2H), 2.38(s,3H),1.79-1.67 (m, 8H), 1.28 (m, 20H), 0.90 (t, J = 11.2, 6H); 
13C(CDCl3,50.3MHz): 158.61, 158.26, 148.60, 143.67, 143.59, 135.32, 129.73, 129.29, 127.72, 124.45, 120.84, 120.39, 114.40, 114.32, 114.24, 69.48, 31.97, 29.60, 29.51,  29.43, 29.34, 29.23, 26.30, 23.51, 21.79, 21.51, 14.32.  IR (KBr): 3228, 2923, 2852, 1670, 1600, 1520, 1497, 1474, 1425, 1398, 1351, 1248, 1214, 1168, 1148, 1077, 1032, 888, 801, 752, 723, 691, 668, 612 cm-1.  Anal.Calcd. for C40H58N2O5S: C; 70.76, H; 8.61, N; 4.13. Found: C; 70.85, H; 8.69, N; 4.05.  MS (EI) m/z 679 (M+).
（３）4-{1-(3,4-Dioctyloxyphenyl)-C61}-1-phenoxybutaneの合成
20 mlナスフラスコに1-{1-(3,4-Dioctyloxyphenyl)-5-phenoxypentylidene}-2-tosylhydrazone 134 mg (0.197 mmol)を加え窒素置換した後，Pyridine 1.0 mlを加え，室温にて10分攪拌し，  Sodium methoxide 10.7 mg (0.197 mmol)を加えさらに30分攪拌した。O-Dichlorobenzene 5.0 mlに溶解させたC60 128 mg (0.177 mmol)をゆっくり加え，80 ℃にて24時間攪拌した。反応液をそのままシリカゲルカラムクロマトグラフィー (hexane/AcOEt=85:15)にて精製した。得られた固体をtolueneに溶解し，24時間還流させ，異性化を行い，目的物を69 mg，収率32%で得た。
1H NMR (CDCl3, 200 MHz): 7.41(d, J=7.4, 3H), 7.24 (s, 1H), 7.00-6.85 (m, 4H), 4.07(t, J=6.8, 6H), 2.92(br, 2H), 2.02-1.84(m, 8H), 1.55-1.29(m, 20H), 0.89 (t, J = 5.2, 6H). MALDI-TOF MS: m/z 1213.  UV-Vis (CH2Cl2) =1.18 x 10-5M  327nm (ε327= 0.2 x 104), 259nm (ε259=0.72x104)
【実施例６】
【００２９】
4-{1-(3,4-Dioctyloxyphenyl)-C61}-1-phenoxybutaneとP3HTによる太陽電池セル
P3HT 15 mgと4-{1-(3,4-Dioctyloxyphenyl)-C61}-1-phenoxybutane 15 mgをO-Dichlorobenzene 1.0 mlに溶解させ製膜条件スピンコート回転数2000 rpm，スピンコート後熱処理100℃，30分にて作成し、次の結果を得た。
【００３０】
Eff=0.094%, FF=0.37, Voc=0.27 V, Isc=0.95 mA/cm2
【実施例７】
【００３１】
4-{1-(3,4-Dioctyloxyphenyl)-C61}-1-(4-iodophenoxy)butaneの合成
【００３２】
【化１１】
2009135237.tif 000009
【００３３】
（１）1-(3,4-Dioctyloxyphenyl)-5-(4-iodophenoxy)pentan-1-oneの合成
30 mlナスフラスコに5-Bromo-1-(3,4-dioctyloxyphenyl)pentan-1-one 219 mg (0.440 mmol), 4-Iodophenol 88.0 mg (0.400 mmol)，Potassium carbonate 166 mg (1.20 mmol)を加え窒素置換した後，Methyl iso-butylketone 10 mlを加え，12時間加熱還流させた。室温まで放冷した後，セライトを用いて不溶物をろ去し，ろ液を塩化メチレンにて希釈し，水にて洗浄した。有機相を硫酸ナトリウムにて乾燥させ，ろ去した後，ロータリーエバポレータにて溶媒を留去した。得られた粗生成物をシリカゲルクロマトグラフィー (hexane/AcOEt=90/10)にて精製し，目的物を199 mg, 収率78%で得た。
1H NMR (CDCl3, 200 MHz): 7.54(d, J=14, 4H), 6.85 (d, J = 8.0, 1H), 6.66 (d, J=9.0, 2H), 4.04 (m, 6H), 2.97 (t, J=13.6, 2H), 1.92 - 1.75 (m, 8H), 1.50- 1.21(m, 20H), 0.91 (t, J = 13.0, 6H).  13C(CDCl3,50.3MHz): 198.26, 158.48, 153.17, 148.57, 137.87, 129.68, 122.42, 117.74, 116.71,  112.28, 111.46, 82.48, 69.26, 67.74,  37.64, 31.95, 29.50, 29.41, 29.31, 29.20, 26.16, 22.83, 21.36, 14.30. FT-IR(KBr):2920, 2851, 1667, 1583, 1486, 1468, 1389, 1283, 1249, 1174, 1150, 1102, 1060, 963, 821, 794, 634.  MS (EI) m/z 636.
（２）
1-{1-(3,4-Dioctyloxyphenyl)-5-(4-iodophenoxy)pentylidene}-2-tosylhydrazoneの合成
10 mlナスフラスコに1-(3,4-Dioctyloxyphenyl)-5-(4-iodophenoxy)pentan-1-one 165 mg (0.273 mmol), p-Toluenesulfonylhydrazide 155 mg (0.832 mmol)を加え，MeOH 5.0 mlを加え溶解させた。4時間加熱還流させた後，室温にて12時間攪拌した。ロータリーエバポレータにて溶媒を留去し，得られた粗生成物をシリカゲルカラムクロマトグラフィー (Hexane/AcOEt=80/20)にて精製し，目的物を160 mg, 収率73%で得た。
1H NMR (CDCl3, 200 MHz): 8.05 (s, 1H), 7.89 (d, J = 8.2, 2H), 7.53 (d, J=9.0, 2H), 7.27 (d, J=7.4, 3H), 7.08 (d, J=8.4, 1H), 6.76 (d, J=8.4, 1H) 6.67 (d, J=9.0, 2H),4.01-3.83(m, 6H), 2.65(t, 2H), 2.38 (s,3H), 1.83-1.63 (m, 8H), 1.29 (m, 20H), 0.91 (t, J = 11.8, 6H);
13C(CDCl3, 50.3MHz): 158.46, 158.20, 155.40, 150.49,148.54, 143.57, 137.94, 135.20, 129.25, 127.69, 124.33, 116.74, 113.66, 82.88,  69.47, 67.74, 37.74, 31.98, 31.95,  29.58, 29.46,  29.41, 29.31,  26.42, 23.20, 22.71, 21.78, 14.31.  IR(KBr):3244, 2920, 2852, 1732, 1585, 1516, 1487, 1469, 1426, 1407, 1351, 1220, 1078, 1021, 912, 870, 802, 720, 668, 610.  MS (EI) m/z 804.  Anal.Calcd. for C40H57IN2O5S:  C; 59.69, H; 7.14, N; 3.48. Found: C; 59.61, H; 7.43, N; 3.44.
（３）4-{1-(3,4-Dioctyloxyphenyl)-C61}-1-(4-iodophenoxy)butaneの合成
20 mlナスフラスコに1-{1-(3,4-Dioctyloxyphenyl)-5-(4-iodophenoxy)pentylidene}-2-tosylhydrazone 125 mg (0.162 mmol)を加え窒素置換した後，Pyridine 1.0 mlを加え，室温にて10分攪拌し，  Sodium methoxide 10.7 mg (0.197 mmol)を加えさらに30分攪拌した。O-Dichlorobenzene 5.0 mlに溶解させたC60 105 mg (0.146 mmol)をゆっくり加え，80 ℃にて24時間攪拌した。反応液をそのままシリカゲルカラムクロマトグラフィー (Hexane/AcOEt=85:15)にて精製しした。得られた固体をtolueneに溶解し，24時間還流させ，異性化を行い，目的物を59 mg，収率30%で得た。
1H NMR (CDCl3, 200 MHz): 7.43-7.28(m, 4H), 6.94 (d, J=8.2, 1H), 6.53 (d, J=9.0, 2H), 4.02(m, 6H), 2.82(br, 2H), 1.75 (m, 8H), 1.49-1.22(m, 20H), 0.82 (t, J = 4.0, 6H). 13C(CDCl3, 50.3MHz): 158.50, 148.84, 148.67, 147.95, 147.72, 145.53, 144.84, 144.73, 144.47, 144.42, 144.33, 144.15, 144.00,  143.66, 143.45, 142.69, 142.60, 141.94, 141.81, 140.62, 140.39, 137.63, 137.47, 128.74, 125.05, 118.14, 116.77, 112.59,  82.72, 80.40, 69.74, 69.06, 67.59, 52.22 , 33.94, 32.00, 29.66, 29.60, 29.46, 29.10, 26.32, 26.23,  23.87, 22.88, 14.38.  IR(KBr): 2921, 1719, 1510, 1561, 1466, 1243, 816.  MALDI-TOF MS: m/z 1340.  Anal.Calcd. For C93H49IO3: C; 83.28, H; 3.68. Found: C; 82.93, H; 3.57. UV-Vis (CHCl3) =3.73 x 10-6 M  327nm (ε327= 2.8 x 10４),430nm (ε430=2 x10４).  Fluorescence (CHCl3) =3.73x 10-6 Mat 260nm excitation wave length 349nm, Intensity =2.47838
【実施例８】
【００３４】
4-{1-(3,4-Dioctyloxyphenyl)-C61}-1-(4-iodophenoxy)butaneとP3HTによる太陽電池セル
P3HT 15 mgと4-{1-(3,4-Dioctyloxyphenyl)-C61}-1-(4-iodophenoxy)butane 15 mgをO-Dichlorobenzene 1.0 mlに溶解させ製膜条件スピンコート回転数2000 rpm，スピンコート後熱処理100℃，30分にて作成し、次の結果を得た。
【００３５】
Eff=0.15%, FF=0.32, Voc=0.26 V, Isc=1.87 mA/cm2
製膜条件スピンコート回転数2000 rpm，スピンコート後熱処理150℃，5時間にて作成し、次の結果を得た。
【００３６】
Eff=0.25%, FF=0.38, Voc=0.25 V, Isc=2.68 mA/cm2
【実施例９】
【００３７】
4-{1-(3,4-Dioctyloxyphenyl)-C61}-1-(2,3,4,5,6-pentafluorophenoxy)butaneの合成  
【００３８】
【化１２】
2009135237.tif 000010
【００３９】
（１）1-(3,4-Dioctyloxyphenyl)-5-(2,3,4,5,6-pentafluorophenoxy)pentan-1-oneの合成
30 mlナスフラスコに5-Bromo-1-(3,4-dioctyloxyphenyl)pentan-1-one 297 mg (0.597 mmol), Pentafluorophenol 100 mg (0.540 mmol)，Potassium carbonate 225 mg (1.63mmol)を加え窒素置換した後，Methyl iso-butylketone 7.0 mlを加え，7時間加熱還流させた。室温まで放冷した後，セライトを用いて不溶物をろ去し，ろ液を塩化メチレンにて希釈し，水にて洗浄した。有機相を硫酸ナトリウムにて乾燥させ，ろ去した後，ロータリーエバポレータにて溶媒を留去した。得られた粗生成物をシリカゲルクロマトグラフィー (Hesane/AcOEt=85/15)にて精製し，目的物を282 mg, 収率87%で得た。
【００４０】
1H NMR (CDCl3, 200 MHz): 7.56  (d, J=10.0, 2H), 6.87(d, J = 7.8, 1H), 4.22 (t, J=9.8, 2H), 4.01(m, 4H), 3.03 (t, J=10.8, 2H), 1.94-1.77 (m, 8H), 1.46 - 1.28 (m, 20H), 0.91 (t, J = 6.2, 6H). 19F(CDCl3,188MHz):  -155.92 (dd, 2F), -162.40-162.98 (m, 3F). 13C(CDCl3, 50.3MHz): 197.88, 153.18, 148.59, 129.64, 122.35, 120.77, 112.21, 111.42, 69.24, 69.02, 37.45, 31.95, 29.42, 29.32, 29.20, 26.16, 22.83, 20.86, 14.27.  EI-MS: m/z 600.  Anal.Calcd for C33H45F5O4: C; 65.98, H; 7.55. Found: C; 66.05, H; 7.63.
（２）1-{1-(3,4-Dioctyloxyphenyl)-5-(2,3,4,5,6-pentafluorophenoxy)pentylidene}-2-tosylhydrazoneの合成
10 mlナスフラスコに1-(3,4-Dioctyloxyphenyl)-5-(2,3,4,5,6-pentafluorophenoxy)pentan-1-one 360 mg (0.399 mmol), p-Toluenesulfonylhydrazide 340 mg (1.83 mmol)を加え，MeOH 10 mlを加え溶解させた。5時間加熱還流させた後，室温にて12時間攪拌した。ロータリーエバポレータにて溶媒を留去し，得られた粗生成物をシリカゲルカラムクロマトグラフィー (Hexane/AcOEt=75/25にて精製し，目的物を273 mg, 収率89%で得た。
1H NMR (CDCl3, 200 MHz):  8.35(s, 1H), 7.92 (d, J = 8.5, 2H), 7.31 (d, J=10.8, 3H), 7.08(d, J=10, 1H), 6.79 (d, J=8.6, 1H), 4.10 (t, J=10, 2H), 4.00 (m, 4H), 2.68   (t, J=8, 2H), 2.40 (s, 1H), 1.82-1.77(m, 8H), 1.44- 1.29(m, 20H), 0.89 (t, J = 6.6, 6H);
19F(CDCl3, 188MHz):  -155.75-156.19 (m, 2F), -162.21-162.85 (m, 3F)
13C(CDCl3, 50.3MHz): 157.15, 155.34, 150.47, 149.97, 149.51, 148.53, 143.73, 143.61, 135.17, 129.22, 127.65, 124.32, 119.33, 113.67, 111.68, 69.43, 69.01, 37.43, 31.92, 29.54, 29.46,, 29.43, 29.38, 29.16, 26.24, 22.80, 21.67, 14.24
EI-MS: m/z 768.  Anal.Calcd. for C40H53F5N2O5S: C; 62.48, H; 6.95, N; 3.64. Found: C; 62.42, H; 7.06, N; 3.61.
(3) 4-{1-(3,4-Dioctyloxyphenyl)-C61}-1-(2,3,4,5,6-pentafluorophenoxy)butaneの合成
20 mlナスフラスコに1-{1-(3,4-Dioctyloxyphenyl)-5-(2,3,4,5,6-pentafluorophenoxy)pentylidene}-2-tosylhydrazone 246 mg (0.319 mmol)を加え窒素置換した後，Pyridine 1.0 mlを加え，室温にて10分攪拌し，  Sodium methoxide 17.3 mg (0.319 mmol)を加えさらに30分攪拌した。O-Dichlorobenzene 1.0 mlに溶解させたC60207 mg (0.288 mmol)をゆっくり加え，80 ℃にて24時間攪拌した。反応液をそのままシリカゲルカラムクロマトグラフィー (Hexane/AcOEt=90:10)にて精製した。得られた固体をtolueneに溶解し，24時間還流させ，異性化を行い，目的物を150 mg，収率36%で得た。
1H NMR (CDCl3, 200 MHz):  7.56  (d, 2H), 6.87(d, J = 8, 1H), 4.22(t, 2H), 4.08-3.96 (m, 4H), 3.03 (t, 2H), 1.94 - 1.77 (m, 8H), 1.46-1.28(m, 20H), 0.88 (t, J = 6, 6H). 19F(CDCl3, 188MHz):  -156.31 (dd, 2F), -162.83-163.59 (m, 3F).  13C(CDCl3, 50.3MHz): 197.90, 153.19, 148.89, 148.60, 148.01, 147.72, 145.58, 144.84, 144.71, 144.49, 144.31, 144.16, 143.68, 143.46, 142,71, 142.57, 141.94, 141.80, 140.64, 140.40, 140.20, 139.14, 137.66, 137.51, 135.21, 130.62, 129.66, 128.61, 125.03, 122.37, 118.10, 112.63, 111.44, 80.35, 69.70, 69.04, 52.05, 37.46, 34.06, 31.96, 29.97, 29.85, 29.59, 29.21, 26.31, 23.47, 22.85, 20.86, 14.30.  MALDI-TOF MS: m/z 1303.  Anal. Calcd. for C93H45F5O3: C; 85.57, H; 3.47. Found: C; 84.97, H; 3.39.  UV-Vis (CHCl3) =3.83 x 10-6 M  397nm (ε397= 2 x 104), 327nm (ε327=5 x104), 259nm (ε259=0.12 x10４)
【実施例１０】
【００４１】
4-{1-(3,4-Dioctyloxyphenyl)-C61}-1-(2,3,4,5,6-pentafluorophenoxy)butaneとP3HTによる太陽電池セル
P3HT 15 mgと4-{1-(3,4-Dioctyloxyphenyl)-C61}-1-(2,3,4,5,6-pentafluorophenoxy)butane 15 mgをO-Dichlorobenzene 1.0 mlに溶解させ製膜条件スピンコート回転数2000 rpm，スピンコート後熱処理150℃，10時間にて作成し、次の結果を得た。
【００４２】
Eff=0.028%, FF=0.38, Voc=0.16 V, Isc=0.46 mA/cm2
【実施例１１】
【００４３】
Methyl 4-{1-(3,4-dioctyloxyphenyl)-C61}benzoateの合成
【００４４】
【化１３】
2009135237.tif 000011
【００４５】
（１）Methyl 4-(3,4-dioctyloxybenzoyl)benzoateの合成
30 mlナスフラスコにMethyl 4-(chlorocarbonyl)benzoate 268 mg (1.35 mmol)を加え窒素置換した後，Dichloromethane 6.0 mlを加え溶解させ氷冷し，Aluminum trichloride 199 mg (1.49 mmol)を加え，氷冷下20分間攪拌した。Dichloromethane 4.0 mlに溶解させた1,2-Dioctyloxybenzene 500 mg (1.49 mmol)をゆっくり加え，室温にて1時間攪拌した後，40℃にて2時間攪拌した。ロータリーエバポレータにて溶媒を留去し，得られた粗生成物をシリカゲルカラムクロマトグラフィー (Hexane/AcOEt=90/10)にて精製し，目的物を624 mg, 収率93%で得た。
1H NMR (CDCl3, 200 MHz): 8.14 (d, J=7.8, 2H), 7.79 (d, J = 8.0, 2H), 7.46 (s, 1H), 7.32 (dd, 1H), 6.88 (d, J = 8.4, 1H), 4.10-4.0 (m, 4H), 3.96 (s, 3H), 1.89-1.80 (m, 4H), 1.56-1.28 (m, 20H), 0.91 (t, , 6H).  13C(CDCl3, 50.3MHz)- 194.33, 166.00, 153.33, 148.59, 142.01, 132.33, 129.14, 129.09, 129.03, 125.36, 113.85, 111.13, 69.21, 69.04, 52.42, 31.91, 29.47, 29.44, 29.37, 29.24, 29.14, 26.12,  26.09, 22.81, 14.27. Anal. Calcd. for C31H44O5:  C; 74.96, H; 8.93. Found: C; 75.03, H; 8.92.
（２）Methyl 4-{1-(2-tosylhydrazono)-1-(3,4-dioctyloxyphenyl)methyl}benzoateの合成
50 mlナスフラスコにMethyl 4-(3,4-dioctyloxybenzoyl)benzoate 1.00 g (2.01 mmol), p-Toluenesulfonyl hydrazide 937 mg (5.03 mmol)を加え，MeOH 15 mlを加えた。5時間加熱還流させた後，室温にて24時間攪拌した。ロータリーエバポレータにて溶媒を留去し，得られた粗生成物をシリカゲルカラムクロマトグラフィー (Hexane/AcOEt=75/25)にて精製し，目的物を800 mg, 収率63%で得た。
【００４６】
1H NMR (CDCl3, 200 MHz): 8.17 (d, J=8.2, 2H), 7.85 (d, J = 8.2, 2H), 7.32-7.17(m, 5H), 6.65-6.61 (m, 2H), 3.98-3.90 (m, 4H, s, 3H), 2.43 (s, 3H), 1.85-1.58 (m, 4H), 1.57-1.29 (m, 20H), 0.90 (t, , 6H).  13C(CDCl3, 50.3MHz) 165.63, 153.10, 150.78, 148.44, 143.79, 135.69, 135.05, 131.17, 130.37, 129.28, 129.02, 128.36, 128.29, 127.7, 125.94, 121.51, 111.85, 111.37, 69.05, 68.91, 52.46, 31.89, 31.85, 29.48, 29.38, 29.31, 29.27, 29.15, 29.16, 26.05, 22.78, 22.75, 21.73, 14.23.
（３）Methyl 4-{1-(3,4-dioctyloxyphenyl)-C61}benzoateの合成
50 mlナスフラスコにMethyl 4-{1-(2-tosylhydrazono)-1-(3,4-dioctyloxyphenyl)methyl}benzoate 613 mg (0.920 mmol)を加え窒素置換した後，Pyridine 5.0 mlを加え，室温にて10分攪拌し，  Sodium methoxide 50.0 mg (0.920 mmol)を加えさらに30分攪拌した。O-Dichlorobenzene 10.0 mlに溶解させたC60399 mg (0.550 mmol)をゆっくり加え，80 ℃にて24時間攪拌した。反応液をそのままシリカゲルカラムクロマトグラフィー (Hexane/AcOEt=95:5)にて精製した。得られた固体をtolueneに溶解し，24時間還流させ，異性化を行い，目的物を112 mg，収率17%で得た。
【００４７】
1H NMR (CDCl3, 200 MHz): 8.15 (br s, 4H), 7.61 (m, 2H), 6.96 (d, J=8.0, 2H), 4.12-3.98 (m, 4H), 3.92 (s, 3H), 1.83-1.79 (m, 4H), 1.56-1.28 (m, 20H), 0.87 (br s, 6H). 13C(CDCl3, 50.3MHz): 166.23, 149.18, 148.30, 147.60, 147.54, 144.99, 144.82, 144.42, 144.36, 144.33, 143.97, 143.50, 142.62, 142.57, 141.94, 141.88, 141.80, 140.58, 138.12, 137.67, 130.60, 130.04, 129.85, 129.51, 123.95, 117.10, 113.05, 78.78, 69.81, 68.98, 57.46, 52.31, 32.00, 31.96, 29.65, 29.54, 29.44, 26.26, 26.22, 22.86, 14.38.  IR (KBr): 2923, 2853, 1725, 1608, 1511, 1464, 1430, 1275, 1186, 1136, 1107 cm-1.  MALDI-TOF MS: m/z 1200.  Anal. Calcd. for C91H44O4: C; 90.98, H; 3.69 Found: C; 89.41, H; 3.45. UV (CH2Cl2) =1.6 x 10-6 M 327nm(ε327= 2.52 x 105 ), 259nm(ε259=6.52x105).
【実施例１２】
【００４８】
１２  Methyl 4-{1-(3,4-dioctyloxyphenyl)-C61}benzoateとP3HTによる太陽電池セル
P3HT 15 mgとMethyl 4-{1-(3,4-dioctyloxyphenyl)-C61}benzoate 15 mgをO-Dichlorobenzene 1.0 mlに溶解させ製膜条件スピンコート回転数2000 rpm，スピンコート後熱処理150℃，30分間にて作成し、次の結果を得た。
【００４９】
Eff=1.47%, FF=0.53, Voc=0.56 V, Isc=4.93 mA/cm2

製膜条件スピンコート回転数2000 rpm，スピンコート後熱処理150℃，30分間にて作成し, 電極蒸着後140℃，10分間熱処理にて作成し、次の結果を得た。
【００５０】
Eff=2.12%, FF=0.63, Voc=0.65 V, Isc=5.18 mA/cm2

【実施例１３】
【００５１】
4-{1-(Benzo[b]thiophen-2-yl)-C61}-1-(2,3,4,5,6-pentafluorophenoxy)butaneの合成    SPS-156
【００５２】
【化１４】
2009135237.tif 000012
【００５３】
（１）1-(Benzo[b]thiophen-2-yl)-5-bromopentan-1-oneの合成
50 mlナスフラスコに5-Bromopentanoyl chloride 669 mg (3.35 mmol)を加え，Dichloromethane 7.0 mlに溶解させた。氷冷下，Aluminum trichloride 497 mg (3.72 mmol)を加え，Dichloromethane 3.0 mlに溶解させたBenzo[b]thiophene 500 mg (3.72 mmol)をゆっくり加えた。氷冷下30分攪拌した後，40℃にて30分間攪拌した。室温まで放冷した後，ロータリーエバポレータにて溶媒を留去した。得られた粗生成物をシリカゲルカラムクロマトグラフィー (Hexane/AcOEt=80/20)にて精製し，目的物を616 mg，収率83%で得た。
1HNMR (CDCl3, 200 MHz):  8.77 (d, J=8, 1H), 8.27 (s, 1H), 7.95-7.83 (dd, 1H), 7.52-7.36(m, 2H), 3.5-3.43 (m, 2H), 3.09-3.00 (m, 2H), 2.02-1.92 (m, 4H).  Anal. Calcd. for C13H13BrOS: C; 52.53, H; 4.41. Found: C; 52.42, H; 4.48.
（２）1-(Benzo[b]thiophen-2-yl)-5-(2,3,4,5,6-pentafluorophenoxy)pentan-1-oneの合成
50 mlナスフラスコに1-(Benzo[b]thiophen-2-yl)-5-bromopentan-1-one 497 mg (1.67 mmol),  Perfluorophenol 280 mg (1.52 mmol)，Potassium carbonate 631 mg (4.56 mmol)を加え窒素置換した後，Methyl iso-butylketone 10.0 mlを加え，5時間加熱還流させた。室温まで放冷した後，セライトを用いて不溶物をろ去し，ろ液を塩化メチレンにて希釈し，水にて洗浄した。有機相を硫酸ナトリウムにて乾燥させ，ろ去した後，ロータリーエバポレータにて溶媒を留去した。得られた粗生成物をシリカゲルクロマトグラフィー (Hexane/AcOEt=85/15)にて精製し，目的物を495 mg, 収率81%で得た。
1H NMR (CDCl3, 200 MHz):  8.77(d, J=8.2, 1H), 8.29 (s, 1H), 7.87-7.83 (dd, 1H), 7.49-7.40(m, 2H), 4.24-4.18 (m, 2H), 3.13-3.06 (m, 2H), 2.02-1.55 (m, 4H).  19F(CDCl3, 188MHz):  -155.94 (d, 2F), -162.31-162.70(m, 3F).  Anal. Calcd. For C19H13F5O2S: C; 57.00, H; 3.27.  Found: C; 57.06, H; 3.03.
（３）
1-{1-(Benzo[b]thiophen-2-yl)-5-(2,3,4,5,6-pentafluorophenoxy)pentylidene}-2-tosylhydrazoneの合成
30 mlナスフラスコに1-(Benzo[b]thiophen-2-yl)-5-(2,3,4,5,6-pentafluorophenoxy)pentan-1-one 447 mg (1.11 mmol), p-Toluenesulfonylhydrazide 624 mg (3.35 mmol)を加え，MeOH 10 mlを加え溶解させた。12時間加熱還流させた後，室温にて12時間攪拌した。ロータリーエバポレータにて溶媒を留去し，得られた粗生成物をシリカゲルカラムクロマトグラフィー (Hexane to Hexane/AcOEt=65/35)にて精製し，目的物を316 mg, 収率50%で得た。
1H NMR (CDCl3, 200 MHz): 8.04(d, J=7.8, 2H) 7.82-7.59 (m, 3H) 7.40-7.25 (m, 4H) 4.13 (m, 2H), 2.76-2.72 (m, 2H), 2.40 (s, 3H), 2.04(m, 4H).  19F(CDCl3, 188MHz):  -155.82 (d, 2F), -161.93-162.03 (m, 3F). Anal. Calcd. for C26H21F5N2O3S2: C; 54.92, H; 3.72, N; 4.93Found- C; 54.96, H; 3.72, N; 4.79
（４）4-{1-(Benzo[b]thiophen-2-yl)-C61}-1-(2,3,4,5,6-pentafluorophenoxy)butaneの合成
20 mlナスフラスコに1-{1-(Benzo[b]thiophen-2-yl)-5-(2,3,4,5,6-pentafluorophenoxy)pentylidene}-2-tosylhydrazone 173 mg (0.304 mmol)を加え窒素置換した後，Pyridine 3.0 mlを加え，室温にて10分攪拌し，  Sodium methoxide 16.4 mg (0.304 mmol)を加えさらに30分攪拌した。O-Dichlorobenzene 5.0 mlに溶解させたC60110 mg (0.152 mmol)をゆっくり加え，80 ℃にて24時間攪拌した。反応液をそのままシリカゲルカラムクロマトグラフィー (Hexane/AcOEt=85:15)にて精製した。得られた固体をtolueneに溶解し，24時間還流させ，異性化を行い，目的物を167 mg，収率60%で得た。
1H NMR (CDCl3, 200 MHz):  7.87 (br, s, 2H), 7.37 (br, s, 3H), 4.13-3.80 (m, 2H), 3.09-3.00  (m, 2H), 2.04-1.94 (m, 4H).  19F(CDCl3,188MHz):-155.79(d,2F),-162.38-163.38(m, 3F).
MALDI-TOF MS: m/z 1102. 
【実施例１４】
【００５４】
4-{1-(Benzo[b]thiophen-2-yl)-C61}-1-(2,3,4,5,6-pentafluorophenoxy)butaneとP3HTによる太陽電池セル
P3HT 15 mgと4-{1-(Benzo[b]thiophen-2-yl)-C61}-1-(2,3,4,5,6-pentafluorophenoxy)butane 15 mgをO-Dichlorobenzene 1.0 mlに溶解させ製膜条件スピンコート回転数2000 rpm，スピンコート後熱処理150℃，24時間にて作成した。
Eff=0.025%, FF=0.31, Voc=0.33 V, Isc=0.25 mA/cm2
【実施例１５】
【００５５】
Methyl 4-{1-(3, 4, 5-trioctyloxyphenyl)-C61}benzoate の合成
【００５６】
【化１５】
2009135237.tif 000013
【００５７】
（１）Methyl 4-(3, 4, 5-trioctyloxybenzoyl)benzoateの合成
:
Terephthalic acid monomethyl ester chloride (1.54 g, 7.76 mmol) の CH2Cl2 (10 mL)溶液にAluminium trichloride (1.15 g, 8.62 mmol) を０℃にてゆっくり加えた。ついで、 1, 2,3-trioctyloxybenzene (3.99 g, 8.62 mmol) のCH2Cl2(5 mL) 溶液を加え、透明溶液になるまで４５分間撹拌した。４０℃にて２０分撹拌したところ、半液の色が赤褐色に変化した。溶媒を減圧留去して得た粗生成物を、シリカゲルカラムクロマトグラフィー（hexane:AcOEt=95:5）にて生成し、2.4gの生成物を得た。
1H NMR (CDCl3, 200 MHz): 8.15 (d, J=8.4, 2H), 7.69 (d, J = 8.4, 2H), 7.22 (d, J=8.8, 1H), 6.44 (d, J = 9.2, 1H), 4.08-4.0 (m, 6H), 3.96 (s, 3H), 1.87-1.73 (m, 6H), 1.57-1.28 (m, 30H), 0.91 (t, J=6.2, 9H).   13C(CDCl3, 50.3MHz)： 198.98, 165.77, 158.52, 157.86, 141.77, 135.77, 132.15, 129.42, 129.15, 128.43, 113.85, 103.63, 68.88, 52.82, 31.96, 31.88, 30.32, 29.59, 29.43, 29.39, 29.34, 29.21, 26.10, 22.79, 14.23.
（２）Methyl 4-{1-(2-tosylhydrazono)-1-(3,4,5-trioctyloxyphenyl)methyl}benzoateの合成
Methyl 4-(3, 4, 5-trioctyloxybenzoyl)benzoate (2.29 g, 3.66 mmol) とｐ−トシルヒドラジド(2.04 g, 10.99 mmol)をメタノール（１０ｍＬ）に溶解し、３時間加熱還流した。 溶媒を減圧留去して得た粗生成物をシリカゲルカラムクロマトグラフィー（hexane:AcOEt=80:20)にて精製し、１．８ｇの生成物を得た。
1H NMR (CDCl3, 200 MHz): 8.20 (d, J=8.4, 2H), 7.81 (d, J = 8.4, 2H), 7.35(d, J=8.4, 2H), 7.18 (d, J=8.2, 2H), 6.2 (s, 2H), 4.05-3.88 (m, 6H, s, 3H), 2.43(s, 3H), 1.84-1.74 (m, 6H), 1.59-1.297(m, 30H), 0.90 (t, 9H). 
（３）Methyl 4-{1-(3, 4, 5-trioctyloxyphenyl)-C61}benzoate の合成
Methyl 4-{1-(2-tosylhydrazono)-1-(3,4,5-trioctyloxyphenyl)methyl}benzoate (737 mg, 0.929 mmol) の乾燥ピリジン（１５ｍＬ）溶液にナトリウムメトキシド（５０ｍｇ、０．９２９mmol）を加えた。反応混合物を室温にて３０分撹拌した後、Ｃ６０（４０２ｍｇ、mmol）の１，２−ジクロロベンゼン（３５ｍＬ）溶液を加えた。反応混合物を８０℃にて２４時間加熱した。冷却後、溶媒を減圧留去し、カラムクロマトグラフィー（シリカゲル、トルエン）にて生成した。最初に見反応のＣ６０が流出し、褐色の２番目のフラクションを集めた。溶媒を留去後、トルエンに溶解し２４時間還流し、[5,6]体から[6,6]体へ異性化した。溶媒を減圧留去して生成物を１６３ｍｇ得た。
1H NMR (CDCl3, 200 MHz): 8.32 (d, J=8.4, 2H), 8.13 (d, J = 8.4, 2H), 7.63 (d, J=8.6, 1H), 6.56 (d, J = 5.6, 1H), 4.21-3.95 (m, 6H), 3.91 (s, 3H), 1.85-1.59 (m, 6H), 1.45-1.27 (m, 30H), 0.87 (t, J=6.6, 9H).   13C(CDCl3, 50.3MHz)： 166.42, 151.52, 149.54, 148.18, 148.03, 147.72, 145.49, 145.19, 144.96, 144.85, 144.36, 144.27, 143.94, 143.81, 143.60, 143.49, 143.15, 142.62, 142.19, 142.09, 141.88, 141.67, 140.62, 140.35, 138.25, 137.80, 137.60, 136.36, 134.62, 131.18, 129.63, 129.48, 129.30, 126.42, 126.24, 115.82, 109.41, 104.75, 101.28, 78.65, 73.50(bridgehead), 72.97, 70.39, 68.61, 52.73(bridge), 52.23, 31.96, 30.36, 30.17, 29.43, 26.38, 26.19, 26.02, 22.85, 14.32
Methyl 4-{1-(3, 4-dioctyloxyphenyl)-C71}benzoateの合成
【００５８】
【化１５】
2009135237.tif 000014
【００５９】
実施例１１（２）で得たMethyl 4-{1-(2-tosylhydrazono)-1-(3,4-dioctyloxyphenyl)methyl}benzoate (650 mg, 0.977 mmol) をdry pyridine (15 mL) に溶解した。sodium methoxide (52.82 mg, 0.977 mmol) を加え、３０分室温にて撹拌した。次いで、Ｃ７０ (492.7 mg, 0.586 mmol) の1, 2-dichlorobenzene (50 mL) 溶液を加えた。反応溶液を８０℃で２４時間加熱した。溶媒を減圧留去して得た粗生成物をカラムクロマトグラフィー（シリカゲル、トルエン）にて生成した。見反応のＣ７０がまず流出し、次いで得られた２番目のフラクションの溶媒を減圧留去した。得られた粗生成物をトルエンに溶解し、２４時間加熱還流した。溶媒を留去して、２４５ｍｇｎお生成物を得た。
1H NMR (CDCl3, 200 MHz): 8.16 (m, 4H), 7.6 (d, 1H), 7.35 (br, s, 1H), 6.92 (d, 1H), 4.13-3.94 (m, 4H), 3.89 (s, 3H), 1.80-1.78 (m, 4H), 1.60-1.27 (m, 20H), 0.87 (t, 6H). 
13C NMR (CDCl3, 50.3MHz)： 166.10, 155.19, 155.01, 151.61, 151.06, 150.80, 150.51, 150.14, 149.33, 149.08, 148.79,  148.34, 148.14, 147.92, 147.61, 147.13, 146.60, 145.98, 145.61, 145.39, 144.76, 144.27, 144.14, 143.59, 143.42, 143.01, 142.29, 141.47, 141.21, 139.87, 139.59, 138.07, 133.67, 132.51, 130.93, 130.51, 130.28, 130.14, 129.45, 128.67, 128.34, 123.44, 116.50, 113.13, 71.48, 69.82(bridgehead), 69.58, 68.97, 52.30, 41.32,(bridge), 32.01, 31.72, 29.70, 29.43, 26.27, 22.86, 14.34. 
MALDI-TOF MS: m/z 1320
【図面の簡単な説明】
【００６０】
【図１】有機薄膜太陽電池の性能を測定するセルを示した説明図である。
【図１】
2009135237.tif 000019